(57)【要約】【課題】ダスト、オイル、泥などの頑固な汚れを持つダストコントロール製品に対しても優れた洗浄性を発揮することができる粉末洗浄剤組成物を提供する。【解決手段】Ａ）ＨＬＢが１０〜１２であるエチレンオキサイド単独付加型又はエチレンオキサイド及びプロピレンオキサイド付加型ノニオン界面活性剤５〜２０重量％と、Ｂ）アニオン界面活性剤１〜１０重量％とを含有するとともに、Ｃ）無機系リン酸塩（Ｃ１）、結晶性珪酸塩（Ｃ２）、及び炭酸塩（Ｃ３）の３成分を合計で７０〜９４重量％含有し、更に、これら３成分の合計量を１００重量部として、（Ｃ１）が２０〜５５重量部、（Ｃ２）が１０〜４５重量部、（Ｃ３）が１０〜７０重量部であることを特徴とする粉末洗浄剤組成物である。【選択図】なし【特許請求の範囲】
【請求項１】
Ａ）ＨＬＢが１０〜１２である、エチレンオキサイド単独付加型、又はエチレンオキサイド及びプロピレンオキサイド付加型ノニオン界面活性剤５〜２０重量％と、
Ｂ）アニオン界面活性剤１〜１０重量％とを含有するとともに、
Ｃ）無機系リン酸塩（Ｃ１）、結晶性珪酸塩（Ｃ２）、及び炭酸塩（Ｃ３）の３成分を合計で７０〜９４重量％含有し、更に、これら３成分の合計量を１００重量部としたとき、（Ｃ１）が２０〜５５重量部、（Ｃ２）が１０〜４５重量部、（Ｃ３）が１０〜７０重量部である
ことを特徴とする粉末洗浄剤組成物。
【請求項２】
ダストコントロール製品の洗浄に用いられる請求項１記載の粉末洗浄剤組成物。
【発明の詳細な説明】
【技術分野】
【０００１】
本発明は粉末洗浄剤組成物に関し、特にダストコントロール製品の洗浄に好適な洗浄剤組成物に関するものである。
【背景技術】
【０００２】
モップやマットなどのダストコントロール製品は、一般に、ダストコントロール業者から顧客に貸し出され、使用後に顧客から回収され、洗浄した後に再び新品として貸し出されるものである。かかるダストコントロール製品は、吸着剤としてのオイルが付与された製品表面のパイルで、ホコリや汚れを捕捉するものであり、上記の洗浄後に、オイルを付着させて、製品化される。そのため、回収後の洗浄時には、汚れとオイルの両方を除去することが求められる。
【０００３】
従来、かかるダストコントロール製品の洗浄には、泥汚れ除去に着目した洗剤が用いられているが、十分な性能を有した洗剤がなく、一般にリネン用と呼ばれる洗剤を組み合わせて洗浄するなど、複数の洗剤を併用して洗浄する必要があった。
【０００４】
泥汚れ除去に着目した洗剤として、下記特許文献１には、特定のノニオン界面活性剤とカチオン界面活性剤を併用したものが提案されている。また、下記特許文献２には、セルラーゼと酸性物質を併用した弱酸性洗浄剤組成物が開示されている。更に、下記特許文献３には、トリポリリン酸の塩と、特定のカチオン界面活性剤およびアミンを併用した泥汚れ用洗浄剤組成物が開示されている。これらはいずれも泥汚れ除去には優れるものの、ダスト、オイル、泥などの頑固な汚れを持つダストコントロール製品の洗浄に対しては、洗浄性が不十分である。
【０００５】
ところで、下記特許文献４には、ダストコントロール業向けの洗浄システムで用いるのに好適な液体洗浄剤組成物として、珪酸塩などの無機アルカリ剤と、ノニオン界面活性剤と、特定のエーテル化合物と、水とを含有するものが開示されている。しかしながら、同文献には、ノニオン界面活性剤とアニオン界面活性剤とともに、特定のビルダー成分を、特定の比率で配合することにより、ダスト、オイル、泥などの頑固な汚れに対して優れた洗浄性を発揮するとともに、排水処理性も向上できることについては開示されていない。
【特許文献１】特開昭５４−０３９４１１号公報
【特許文献２】特開昭６０−２１２４９６号公報
【特許文献３】特開２００５−２０６８３３号公報
【特許文献４】特開２００４−２４４５９１号公報
【発明の開示】
【発明が解決しようとする課題】
【０００６】
本発明は、以上の点に鑑みてなされたものであり、ダスト、オイル、泥などの頑固な汚れを持つダストコントロール製品に対しても優れた洗浄性を発揮することができる粉末洗浄剤組成物を提供することを目的とする。
【課題を解決するための手段】
【０００７】
本発明者は、ダストコントロール製品の洗浄のため、オイルの乳化と汚れの除去の両方の性能を有した洗剤を開発すべく鋭意検討していく中で、特定のノニオン界面活性剤とアニオン界面活性剤とビルダー成分を、特定の比率で組み合わせて用いることにより、ダストコントロール製品に付着した汚れおよび吸着剤としてオイルを画期的に脱落させ、また、排水処理性も向上できることを見い出し、本発明を完成するに至った。
【０００８】
すなわち、本発明に係る粉末洗浄剤組成物は、
Ａ）ＨＬＢが１０〜１２である、エチレンオキサイド単独付加型、又はエチレンオキサイド及びプロピレンオキサイド付加型ノニオン界面活性剤５〜２０重量％と、
Ｂ）アニオン界面活性剤１〜１０重量％とを含有するとともに、
Ｃ）無機系リン酸塩（Ｃ１）、結晶性珪酸塩（Ｃ２）、及び炭酸塩（Ｃ３）の３成分を合計で７０〜９４重量％含有し、更に、これら３成分の合計量を１００重量部として、（Ｃ１）が２０〜５５重量部、（Ｃ２）が１０〜４５重量部、（Ｃ３）が１０〜７０重量部であることを特徴とする。
【発明の効果】
【０００９】
本発明に係る粉末洗浄剤組成物であると、ダスト、オイル、泥などの頑固な汚れを持つダストコントロール製品に対して優れた洗浄性を発揮することができ、そのため、少量で、かつ使用する洗剤数が１つでダストコントロール製品を洗浄することができる。また、排水処理時における、フロックの形成を容易にし、急速な凝集沈殿処理が可能であり、排水処理性に優れる。
【発明を実施するための最良の形態】
【００１０】
以下、本発明の実施に関連する事項について詳細に説明する。
【００１１】
（Ａ成分）
本発明の組成物において、Ａ成分として配合されるノニオン界面活性剤は、エチレンオキサイド（以下、ＥＯと表記する。）単独付加型、又は、ＥＯ及びプロピレンオキサイド（以下、ＰＯと表記する。）付加型ノニオン界面活性剤であって、ＨＬＢが１０〜１２のものである。
【００１２】
かかるＥＯ付加型ノニオン界面活性剤やＥＯ／ＰＯ付加型ノニオン界面活性剤は、アルコール、カルボン酸、アミンなどの活性水素を有する化合物に、ＥＯ単独、又はＥＯ及びＰＯを付加して得られるものであり、ＥＯ及びＰＯの付加はランダム付加でもブロック付加でもよい。
【００１３】
より好ましくは、飽和又は不飽和アルコールにＥＯを付加させて得られるポリオキシエチレンアルキルエーテル又はポリオキシエチレンアルケニルエーテルや、飽和又は不飽和アルコールにＥＯ及びＰＯを付加させて得られるポリオキシエチレンポリオキシプロピレンアルキルエーテル又はポリオキシエチレンポリオキシプロピレンアルケニルエーテルであり、更には、下記一般式（１）で表されるものが好適である。
【００１４】
Ｒ１−Ｏ−［（ＥＯ）ｍ／（ＰＯ）ｎ］−Ｒ２  …（１）
式中、Ｒ１は平均炭素数６〜１４のアルキル基又はアルケニル基を示し、ＥＯはオキシエチレン基、ＰＯはオキシプロピレン基を示し、［（ＥＯ）ｍ／（ＰＯ）ｎ］はランダム配列でもブロック配列でもよい。ｍ、ｎはそれぞれ平均付加モル数を示し、ｍ＝５〜２０、ｎ＝０〜１０である。Ｒ２は水素原子又はメチル基を示す。
【００１５】
Ａ成分として用いるノニオン界面活性剤は、ＨＬＢが１０〜１２のものであり、ＨＬＢがこれより小さいと、洗浄性は維持されるが、再汚染性が低下し、逆に大きすぎると、再汚染性は維持されるが、洗浄性が低下する。ここで、ＨＬＢはグリフィンの式により算出される値である。
【００１６】
（Ｂ成分）
本発明の組成物において、Ｂ成分として配合されるアニオン界面活性剤としては、例えば、α−オレフィンスルホン酸塩、アルキルベンゼンスルホン酸塩、パラフィンスルホン酸塩、α−スルホ脂肪酸塩、α−スルホ脂肪酸アルキルエステル塩、高級アルコール硫酸エステル塩、ポリオキシエチレンアルキル（又はアルケニル）エーテル硫酸エステル塩、スルホコハク酸モノエステル塩、スルホコハク酸ジアルキル塩、リン酸モノエステル塩、リン酸ジエステル塩などが挙げられる。これらの中でも、α−オレフィンスルホン酸塩、アルキルベンゼンスルホン酸塩、パラフィンスルホン酸塩などのスルホン酸塩系アニオン界面活性剤が特に好適である。
【００１７】
アニオン界面活性剤の塩は、特に限定されるものではないが、ナトリウム塩、カリウム塩、マグネシウム塩などの金属塩、トリエタノールアミン塩などが好ましい。また、アニオン界面活性剤の親油基の炭素数は、特に限定されないが、１０〜１４であることが好ましい。
【００１８】
（Ｃ成分）
本発明の組成物において、Ｃ成分はビルダー成分であり、無機系リン酸塩（Ｃ１）と、結晶性珪酸塩（Ｃ２）と、炭酸塩（Ｃ３）との３成分からなる。これら３成分は、その合計量を１００重量部としたとき、（Ｃ１）が２０〜５５重量部、（Ｃ２）が１０〜４５重量部、（Ｃ３）が１０〜７０重量部の割合で配合される。これら３成分の割合が上記範囲から外れると、洗浄性や排水処理性を損なうことになる。これら３成分のより好ましい割合は、（Ｃ１）が３５〜５０重量部、（Ｃ２）が１０〜３５重量部、（Ｃ３）が１０〜５０重量部である。
【００１９】
（Ｃ１成分）
上記Ｃ１成分の無機系リン酸塩としては、トリポリリン酸塩、ピロリン酸塩、ポリリン酸塩、ヘキサメタリン酸塩、オルソリン酸塩、テトラリン酸塩などが挙げられる。塩としては、ナトリウム塩、カリウム塩などのアルカリ金属塩やアルカールアミン塩が挙げられる。特には、トリポリリン酸ナトリウム（Ｎａ５Ｐ３Ｏ１０）、ピロリン酸ナトリウム（Ｎａ４Ｐ２Ｏ７）、ポリリン酸ナトリウム（Ｎａ４Ｐ４Ｏ１２）、ヘキサメタリン酸ナトリウム（（ＮａＰＯ３）６）が好ましく用いられる。
【００２０】
（Ｃ２成分）
上記Ｃ２成分の結晶性珪酸塩としては、オルソ珪酸塩、メタ珪酸塩、セスキ珪酸塩などが挙げられる。塩としては、ナトリウム塩、カリウム塩などのアルカリ金属塩やアルカールアミン塩が挙げられる。特には、オルソ珪酸ナトリウム（Ｎａ４ＳｉＯ４）、メタ珪酸ナトリウム（Ｎａ２ＳｉＯ３）、セスキ珪酸ナトリウム（Ｎａ６Ｓｉ２Ｏ７）が好ましく用いられる。これらは水和物であってもよい。
【００２１】
（Ｃ３成分）
上記Ｃ３成分の炭酸塩としては、炭酸カリウム、炭酸ナトリウム、炭酸水素ナトリウムなどが挙げられる。これらは水和物であってもよい。
【００２２】
（粉末洗浄剤組成物）
本発明の洗浄剤組成物は、上記Ａ成分を５〜２０重量％と、上記Ｂ成分を１〜１０重量％と、上記Ｃ成分を７０〜９４重量％含有してなるものであり、粉末状の形態を持つものである。Ａ成分の比率が少ないと洗浄性に劣り、逆に多すぎると排水処理性に劣る。また、Ｂ成分の比率が多すぎると、洗浄性、排水処理性に劣る。より好ましい組成は、Ａ成分が１２〜１８重量％、Ｂ成分が２〜８重量％、Ｃ成分が７４〜８５重量％である。
【００２３】
本発明の洗浄剤組成物には、上記各成分に加え、本発明の効果を損なわない範囲内で、必要に応じて、例えば、石鹸、再汚染防止剤、酵素、金属封止剤、消泡剤、蛍光増白剤、抗菌剤など、一般に洗浄剤組成物に用いられる他の成分を配合してもよい。
【００２４】
本発明の粉末洗浄剤組成物は、上記配合により、オイルの乳化と汚れの除去の両方の性能を有しているため、特に、モップやマットなどのダストコントロール製品を洗浄するための洗剤、即ちダストコントロール用洗浄剤組成物として用いられることが好適である。
【００２５】
洗浄は、該粉末洗浄剤組成物を水に溶解させて、得られた水溶液中に被洗物を投入し撹拌することで行われる。その際、水溶液中における洗浄剤組成物の濃度（洗剤濃度）は、０．１〜１０重量％であることが好ましい。
【実施例】
【００２６】
以下、本発明を実施例により具体的に説明するが、本発明の範囲はこれに限定されるものではない。
【００２７】
下記表１及び表２に示す配合に従い、各成分を混合して、実施例及び比較例の粉末洗浄剤組成物を調製した。
【００２８】
表中の各成分の詳細は、以下の通りである。
【００２９】
（Ａ成分）
・ノニオン界面活性剤１：ラウリルアルコールにＥＯ５モルとＰＯ２モルをランダム付加した化合物（ＨＬＢ＝１０．５）、
・ノニオン界面活性剤２：トリデシルアルコールにＥＯ８モルとＰＯ２モルをランダム付加した化合物（ＨＬＢ＝１１．５）、
・ノニオン界面活性剤３：ラウリルアルコールにＥＯ３モルを付加した化合物（ＨＬＢ＝８）、
・ノニオン界面活性剤４：ラウリルアルコールにＥＯ１２モルとＰＯ４モルをランダム付加した化合物（ＨＬＢ＝１５）、
・ノニオン界面活性剤５：ラウリルアルコールにＥＯを６モル付加させた化合物（ＨＬＢ＝１１．５）、
・ノニオン界面活性剤６：トリデシルアルコールにＥＯを５モル付加させた化合物（ＨＬＢ＝１０．５）。
【００３０】
（Ｂ成分）
・アニオン界面活性剤１：α−オレフィンスルホン酸ナトリウム（第一工業製薬株式会社製「ネオゲンＡＯ−９０」）、
・アニオン界面活性剤２：ドデシルベンゼンスルホン酸ナトリウム。
【００３１】
（Ｃ成分：ビルダー成分）
・（Ｃ１）無機系リン酸塩１：トリポリリン酸ナトリウム、
・（Ｃ１）無機系リン酸塩２：ピロリン酸ナトリウム、
・（Ｃ２）結晶性珪酸塩１：メタ珪酸ナトリウム・５水塩、
・（Ｃ２）結晶性珪酸塩２：メタケイ酸ナトリウム・９水塩、
・（Ｃ３）炭酸塩：炭酸ナトリウム。
【００３２】
得られた各組成物について、洗浄率（洗浄性）と、排水処理性と、凝集率を下記方法により測定・評価した。結果を表１、表２に示す。
【００３３】
（洗浄率）
８ｃｍ×８ｃｍのナイロン生地に、織物汚染機を用いて、ダスト３ｇ及び鉱物油３ｇを付着させたものを、汚染布として用いた。該汚染布を、洗浄試験機としてターゴトメーターを用いて、１００ｒｐｍ、５０℃、１０分間、浴比（汚染布／水）＝１／３３の洗浄条件にて、洗浄試験を行った。洗剤濃度は０．１重量％とした。
【００３４】
洗浄率は、未汚染布及び洗浄前後の反射率を、東京電色株式会社製の色差計「ＴＣ−１５００ＳＸ」を用いて測定し、次式によって算出した。 
洗浄率（％）＝｛（洗浄後の反射率−洗浄前の反射率）／（未汚染布の反射率−洗浄前の反射率）｝×１００
評価は、洗浄率が６５％以上のものを「◎」、４５％以上６５％未満のものを「○」、３０％以上４５％未満のものを「△」、３０％未満のものを「×」とした。
【００３５】
（排水処理性）
１０００ｍＬのビーカーに、水１Ｌ、洗浄剤組成物１ｇを添加し、スターラーで３０分間撹拌溶解させた。溶解後、撹拌しながら硫酸バンド３０００ｐｐｍを添加した。添加後、撹拌を止め、フロックの形成を目視にて評価した。評価は、溶液の上層が透明になるまでに要する時間（分）を測定し、１５分未満のものを「◎」、１５分以上３０分未満のものを「○」、３０分以上４５分未満のものを「△」、４５分以上のものを「×」とした。
【００３６】
（凝集率）
上記排水処理性評価による凝集処理後の溶液の上澄みを採取し、化学的酸素要求量（以下、ＣＯＤと略す。）の分析を、ＪＩＳ  Ｋ０１０２に準じて実施した。凝集率は、次式により算出した。 
凝集率（％）＝（凝集処理後のＣＯＤ／凝集処理前のＣＯＤ）×１００
評価は、凝集率が２５％未満のものを「◎」、２５％以上４０％未満のものを「○」、４０％以上６０％未満のものを「△」、６０％以上のものを「×」とした。
【表１】
2008069208.tif 000002
【表２】
2008069208.tif 000003
【００３７】
上記表に示すように、実施例の粉末洗浄剤組成物は、洗浄性、排水処理性、凝集性において優れていた。これに対し、比較例１，２では、ノニオン界面活性剤の比率が低いため、洗浄性に劣っていた。また、比較例３では、ノニオン界面活性剤の比率が高いため、洗浄性は良好であったが、排水処理性に劣っていた。また、比較例４では、アニオン界面活性剤の比率が高いため、洗浄性、排水処理性に劣っており、比較例５では、アニオン界面活性剤を配合していないため、排水処理性は良好であるが、洗浄性に劣っていた。
【００３８】
また、比較例６〜１０では、ビルダー成分（Ｃ）に関し、無機系リン酸塩（Ｃ１）と、結晶性珪酸塩（Ｃ２）と、炭酸塩（Ｃ３）の比率が、規定範囲から外れていたため、洗浄性、排水処理性に劣っていた。
【００３９】
また、比較例１１では、ノニオン界面活性剤のＨＬＢが小さいものであったため、洗浄性、排水処理性に劣っていた。また、比較例１２では、ノニオン界面活性剤のＨＬＢが大きいものであったため、排水処理性は良好であるが、洗浄性に劣っていた。
【産業上の利用可能性】
【００４０】
本発明の粉末洗浄剤組成物は、繊維製品を始めとした各種製品の洗浄に用いることができ、特に、ダストコントロール製品の洗浄に好適に利用することができる。